(57)【要約】【課題】送風手段からの送風を効率よく吐出口から吐出させてエアカーテンとすることにより、十分な強さのエアカーテンを形成することができ、煙草の煙等の遮断効果を十分に発揮し得る島設備の台間装置を提供する。【解決手段】エアカーテンを形成可能な島設備の台間装置１において、島設備における遊技機の側方近傍に設置可能とされた装置本体２と、該装置本体２の側面、上面、下面又は背面で開口して当該装置本体２内に空気を吸入し得る吸入口５ａ、５ｂと、装置本体２の前面において上下方向に開口して空気を吐出しエアカーテンを形成し得る吐出口６と、吸入口５ａ、５ｂから空気を吸入しつつ吐出口６に向かって送風し得るファン部材３と、ファン部材３と吐出口６との間に配設され、当該ファン部材３からの送風を当該吐出口６まで案内する案内部材１２とを備えたものである。【選択図】図２
2011036303.tif 000002
【特許請求の範囲】
【請求項１】
島設備の隣接する遊技機間に設置され、前方に向かって送風することによりエアカーテンを形成可能な島設備の台間装置において、
前記島設備における遊技機の側方近傍に設置可能とされた装置本体と、
該装置本体の側面、上面、下面又は背面で開口して当該装置本体内に空気を吸入し得る吸入口と、
前記装置本体の前面において上下方向に開口して空気を吐出し、エアカーテンを形成し得る吐出口と、
前記吸入口から空気を吸入しつつ前記吐出口に向かって送風し得る送風手段と、
該送風手段と吐出口との間に配設され、当該送風手段からの送風を当該吐出口まで案内する案内部材と、
を備えたことを特徴とする島設備の台間装置。
【請求項２】
前記送風手段は、
前記装置本体内で上下方向に延びた回転軸を中心に回転可能に配設されるとともに、側面に送風のための羽根が形成された略円筒状のファン部材と、
該ファン部材を回転軸を中心として回転駆動させるためのモータと、
から構成されたことを特徴とする請求項１記載の島設備の台間装置。
【請求項３】
前記案内部材は、その表面で前記送風手段からの送風を案内させるとともに、裏面に所定の電気回路が形成された制御基板が取り付けられたことを特徴とする請求項１又は請求項２記載の島設備の台間装置。
【請求項４】
前記案内部材の表面側には、前記制御基板を冷却すべく当該制御基板に取り付けられた冷却手段が突出形成されたことを特徴とする請求項３記載の島設備の台間装置。
【請求項５】
前記冷却手段は、複数の溝が形成されるとともに、当該溝が前記送風手段から吐出口に向かって延びて形成されたことを特徴とする請求項４記載の島設備の台間装置。
【発明の詳細な説明】
【技術分野】
【０００１】
本発明は、島設備の隣接する遊技機間に設置され、前方に向かって送風することによりエアカーテンを形成可能な島設備の台間装置に関するものである。
【背景技術】
【０００２】
通常、パチンコ店内に設置された島設備には、複数の遊技機（パチンコ遊技機やスロットマシン等）が並設されており、その隣接する遊技機間には台間装置が設置されている。然るに、遊技者の煙草の煙等が隣接した遊技機の遊技者に至ってしまうのを抑制すべく、従来より、前方に送風するファン等を設け、当該ファン等を駆動させることによりエアカーテンを形成可能な台間装置が提案されるに至っている。
【０００３】
例えば、特許文献１で開示されているように、台間装置内にファン等の送風機を配設するとともに、装置本体の前面側に空気の吸入口及び吐出口がそれぞれ形成され、当該送風機を駆動させることにより前方（遊技者側）に向かって吐出口から送風してエアカーテンを形成し得るようになっていた。かかるエアカーテンにより、隣の遊技機まで煙草の煙等が至ってしまうのを抑制することができる。
【先行技術文献】
【特許文献】
【０００４】
【特許文献１】特開平１０−１１８３２７号公報
【発明の概要】
【発明が解決しようとする課題】
【０００５】
しかしながら、上記従来の島設備の台間装置においては、送風手段（ファンなどの送風機）からの送風が吐出口以外の部位に向かって流れ、エアカーテンを形成する送風量が低減してしまう虞があり、十分な強さのエアカーテンを形成するのが困難であるという問題があった。即ち、エアカーテンは、空気の流れで壁を形成して煙草等の煙を遮断するものであるため、送風手段からの送風を効率よく吐出口から吐出させる必要があるが、従来のものにおいては、吐出口以外にも空気が流れてしまい、効率が悪かったのである。
【０００６】
本発明は、このような事情に鑑みてなされたもので、送風手段からの送風を効率よく吐出口から吐出させてエアカーテンとすることにより、十分な強さのエアカーテンを形成することができ、煙草の煙等の遮断効果を十分に発揮し得る島設備の台間装置を提供することにある。
【課題を解決するための手段】
【０００７】
請求項１記載の発明は、島設備の隣接する遊技機間に設置され、前方に向かって送風することによりエアカーテンを形成可能な島設備の台間装置において、前記島設備における遊技機の側方近傍に設置可能とされた装置本体と、該装置本体の側面、上面、下面又は背面で開口して当該装置本体内に空気を吸入し得る吸入口と、前記装置本体の前面において上下方向に開口して空気を吐出し、エアカーテンを形成し得る吐出口と、前記吸入口から空気を吸入しつつ前記吐出口に向かって送風し得る送風手段と、該送風手段と吐出口との間に配設され、当該送風手段からの送風を当該吐出口まで案内する案内部材とを備えたことを特徴とする。
【０００８】
請求項２記載の発明は、請求項１記載の島設備の台間装置において、前記送風手段は、前記装置本体内で上下方向に延びた回転軸を中心に回転可能に配設されるとともに、側面に送風のための羽根が形成された略円筒状のファン部材と、該ファン部材を回転軸を中心として回転駆動させるためのモータとから構成されたことを特徴とする。
【０００９】
請求項３記載の発明は、請求項１又は請求項２記載の島設備の台間装置において、前記案内部材は、その表面で前記送風手段からの送風を案内させるとともに、裏面に所定の電気回路が形成された制御基板が取り付けられたことを特徴とする。
【００１０】
請求項４記載の発明は、請求項３記載の島設備の台間装置において、前記案内部材の表面側には、前記制御基板を冷却すべく当該制御基板に取り付けられた冷却手段が突出形成されたことを特徴とする。
【００１１】
請求項５記載の発明は、請求項４記載の島設備の台間装置において、前記冷却手段は、複数の溝が形成されるとともに、当該溝が前記送風手段から吐出口に向かって延びて形成されたことを特徴とする。
【発明の効果】
【００１２】
請求項１の発明によれば、送風手段からの送風を当該吐出口まで案内する案内部材を具備したので、送風手段からの送風を効率よく吐出口から吐出させてエアカーテンとすることにより、十分な強さのエアカーテンを形成することができ、煙草の煙等の遮断効果を十分に発揮し得る。
【００１３】
請求項２の発明によれば、装置本体内で上下方向に延びた回転軸を中心に回転可能に配設されるとともに側面に送風のための羽根が形成された略円筒状のファン部材を有したので、高さ方向に十分幅広いエアカーテンを形成することができ、煙草の煙等の遮断効果を更に十分に発揮し得る。
【００１４】
請求項３の発明によれば、案内部材は、その表面で送風手段からの送風を案内させるとともに、裏面に所定の電気回路が形成された制御基板が取り付けられたので、送風手段からの送風により、エアカーテンを形成することができるのに加え、制御基板の冷却を図ることができる。
【００１５】
請求項４の発明によれば、案内部材の表面側には、制御基板を冷却すべく当該制御基板に取り付けられた冷却手段が突出形成されたので、送風手段からの風を冷却手段に直接当てて冷却させることができるので、制御基板の冷却効果を更に高めることができる。
【００１６】
請求項５の発明によれば、冷却手段は、複数の溝が形成されるとともに、当該溝が送風手段から吐出口に向かって延びて形成されたので、制御基板の冷却を行わせつつ送風手段からの送風の案内を維持させることができる。
【図面の簡単な説明】
【００１７】
【図１】本発明の実施形態に係る島設備の台間装置を示す正面図
【図２】同台間装置の内部構成を示す側面図
【図３】同台間装置を示す背面図
【図４】同台間装置を示す斜視図
【図５】同台間装置における送風手段（ファン部材及びモータ）と案内部材との位置関係を示す拡大図
【図６】同台間装置が設置される島設備全体を示す模式図
【発明を実施するための形態】
【００１８】
以下、本発明の実施形態について図面を参照しながら具体的に説明する。
本実施形態に係る島設備の台間装置は、図６に示すように、パチンコ遊技店における島設備Ｓの隣接するパチンコ遊技機Ｐ間に設置され、前方（同図中手前側）に向かって送風することによりエアカーテンを形成可能なものであり、図１〜５に示すように、装置本体２と、送風手段（ファン部材３及びモータ４）と、吸入口５ａ、５ｂと、吐出口６と、案内部材１２と、制御基板１４とを有して構成されている。
【００１９】
装置本体２は、台間装置１の筐体を成すもので全体として上下に細長い箱型形状とされており、島設備Ｓにおけるパチンコ遊技機Ｐの側方近傍に設置可能とされるとともに内部に種々構成要素が収容されている。かかる装置本体２は、上下寸法がパチンコ遊技機Ｐの高さ寸法と略同一とされており、その前面２ａを島設備Ｓの前方に臨ませつつ背面２ｂ及び側面２ｃ（上面及び下面も同様）を島設備Ｓ内に臨ませて固定されるようになっている。
【００２０】
本実施形態に係る装置本体２には、ロック部材１３ａ及び該ロック部材１３ａを揺動動作させるプッシュソレノイド１５や種々駆動機構等を具備したロック機構１３が配設されており、隣接するパチンコ遊技機Ｐの前面枠前方までロック部材１３ａが揺動することにより当該パチンコ遊技機Ｐに対する開閉動作を規制し得るようになっている。尚、本実施形態においては、ロック部材１３ａが装置本体２の略中央（中央の高さの位置）に形成されているが、他の位置に形成されたものとしてもよい。
【００２１】
また、装置本体２には、その前面２ａ上部に操作手段７（後で詳述する）、表示灯９及び噴出口１０が形成されている。表示灯９は、複数個のＬＥＤで形成され、ファン部材３の駆動状態（モータ４の駆動状態）やロック機構１３の作動状態を点灯表示し得るようになっている。噴出口１０は、静電霧化微粒子水発生装置１１（図２参照）で生じた帯電微粒子水を前方（遊技者側）に噴霧させるための開口である。当該静電霧化微粒子水発生装置１１は、背面２ｂに設けたノズル１１ａから水を供給することにより、この水を静電霧化作用で帯電微粒子水とするためのものであり、これにより、遊技者近傍の空気が清浄化されたり加湿されて、快適な遊技空間が得られるようになっている。
【００２２】
ファン部材３及びモータ４は、本実施形態に係る送風手段を構成するものであり、吸入口５ａ、５ｂから空気を吸入しつつ吐出口６に向かって送風し得るよう構成されている。このうち、ファン部材３は、所謂クロスフローファンと称されるファンから成り、図５に示すように、装置本体２内で上下方向に延びた回転軸Ｌを中心に回転可能に配設されるとともに、側面に送風のための羽根３ａが形成された略円筒状のものから成る。かかるファン部材３は、フレームＦにおいて回転自在に取り付けられており、当該フレームＦの上部にはモータ４が形成されている。
【００２３】
当該モータ４は、ファン部材３を回転軸Ｌを中心として回転駆動させるための駆動源である。而して、本実施形態においては、ファン部材３とモータ４とを同一フレームＦに組み付けて一体とすることにより送風ユニットＹを構成しており、当該送風ユニットＹが装置本体２内において上下方向に複数（本実施形態においては３つ）並設されている。尚、本実施形態においては、短い上下寸法の送風ユニットＹが２つ、長い上下寸法の送風ユニットＹが１つそれぞれ上下に並べられているが、全て同一の上下寸法とされた送風ユニットＹを複数配設するようにしてもよい。即ち、装置本体２に形成された吸入口５ａ、５ｂ及び吐出口６の形成位置や他の構成要素の配設関係に応じて送風ユニットＹを任意の位置で配設することができるのである。
【００２４】
吸入口５ａは、装置本体２の背面２ｂで開口し、ファン部材３の回転駆動により当該装置本体２内に空気を吸入し得るものであり、同様に、吸入口５ｂは、装置本体２の側面２ｃで開口し、ファン部材３の回転駆動により当該装置本体２内に空気を吸入し得るものである。然るに、本実施形態においては、吸入口５ａは、装置本体２の背面２ｂ及び側面２ｃに形成されているが、前面２ａ以外の他の面（装置本体２の上面又は下面）に形成するようにしてもよい。尚、図２中符号１６は吸入口５ａを覆った活性炭フィルタを示しており、当該吸入口５ａから吸入される空気を濾過して浄化し得るようになっている。
【００２５】
吐出口６は、装置本体２の前面２ａ側で上下方向に延びてスリット状に開口し、ファン部材３の回転駆動により吸入口５ａ、５ｂから吸入した空気を吐出させることにより前方に向かって送風し得るものであり、かかる送風により隣接するパチンコ遊技機Ｐ間において所謂エアカーテンを形成することができる。即ち、本実施形態においては、吸入口５ａ、５ｂが装置本体２の背面２ｂ又は側面２ｃに形成されているため、吐出口６を装置本体２の前面２ａにおける広い範囲に亘って形成させることができ、エアカーテンの高さ方向（上下方向）の幅（空気の流れで形成される壁の高さ）を大きく設定することができるのである。
【００２６】
更に、装置本体２の前面２ａ上部には、ファン部材３の駆動をオン・オフ操作（即ち、モータ４のオン・オフ操作）するための又は当該ファン部材３の回転速度を任意に調整するための操作手段７が配設されている。具体的には、かかる操作手段７は、押圧操作及び回転操作が可能な操作摘みから成り、押圧操作によりファン部材３が回転駆動開始又は停止されるとともに、回転操作により可変抵抗器８（図２参照）を作用させてモータ４に送られる電流を変化させ、当該ファン部材３を任意の回転速度に調整し得るようになっている。
【００２７】
ここで、本実施形態においては、送風手段（ファン部材３）からの送風を吐出口６まで案内する案内部材１２が装置本体２内に複数（本実施形態においては２枚）配設されている。かかる案内部材１２は、装置本体２の内部空間を左右に仕切る仕切板から成り、ロック機構１３に対して上下の位置であって送風手段（ファン部材３）と吐出口６との間にそれぞれ配設されるものであり、その表面で送風手段（ファン部材３）からの送風を吐出口６まで導いて案内させるようになっている。
【００２８】
即ち、ファン部材３の回転駆動により吸入口５ａ、５ｂから吸入した空気は、吐出口６に向かって流れる過程において、案内部材１２の表面で整流されつつ当該吐出口６に導かれて案内されるよう構成されているのである。而して、案内部材１２により、ファン部材３からの空気が吐出口６以外に流れてしまうのを抑制することができ、当該ファン部材３によって生じる風を効率よく吐出口６から吐出させることができる。
【００２９】
更に、上下の案内部材１２のうち上方に取り付けられた案内部材１２における裏面には、図５に示すように、所定の電気回路が形成された制御基板１４が取り付けられている。かかる制御基板１４は、装置本体２内に配設された種々電機部品（モータ４やプッシュソレノイド１５等）を制御するためのマイコン等を具備したプリント基板から成るもので、ネジ等の汎用的締結手段にて案内部材１２の裏面側に固定されている。
【００３０】
これにより、送風手段（ファン部材３）からの送風により、エアカーテンを形成することができるのに加え、制御基板１４の冷却を図ることができる。即ち、エアカーテンを形成するための送風を流用し、その送風にて制御基板１４におけるマイコン等が過熱してしまうのを抑制することができるのである。而して、制御基板１４の過熱を防止することができるとともに当該制御基板１４のための別個の冷却手段が不要とされる。
【００３１】
一方、本実施形態に係る案内部材１２（上方のもの）には、図２に示すように、切欠きが形成されており、当該切欠きを介して制御基板１４に取り付けられた冷却手段１７を案内部材１２の表面側に突出させている。これにより、送風手段（ファン部材３）からの風を冷却手段１７に直接当てて冷却させることができるので、制御基板１４の冷却効果を更に高めることができる。
【００３２】
また更に、冷却手段１７は、その表面積を増大させて冷却効果を高めるべく複数の溝１７ａが形成されているとともに、当該溝１７ａが送風手段（ファン部材３）から吐出口６に向かって延びる如く形成されている。これにより、冷却手段１７に当たった送風手段（ファン部材３）からの風が溝１７ａに沿って流れることとなり、吐出口６に向かう方向から外れてしまうのを回避すべく整流することができる。よって、制御基板１４の冷却を行わせつつ送風手段（ファン部材３）からの送風の案内を維持させることができる。
【００３３】
上記実施形態によれば、送風手段（ファン部材３）からの送風を吐出口６まで案内する案内部材１２を具備したので、送風手段（ファン部材３）からの送風を効率よく吐出口６から吐出させてエアカーテンとすることにより、十分な強さのエアカーテンを形成することができ、煙草の煙等の遮断効果を十分に発揮し得る。
【００３４】
案内部材１２は、金属製のもの或いは樹脂製のもの等何れの材料で形成されていてもよいが、制御基板１４が取り付けられる案内部材１２においては、冷却効果をより高めるべく金属製のもの（熱伝導率が高い材料）が好ましい。また、案内部材１２は、その表面において送風手段（ファン部材３）からの送風を吐出口６まで案内するものであれば、板状のものであっても或いは箱状のものであってもよい。
【００３５】
更に、装置本体２内で上下方向に延びた回転軸Ｌを中心に回転可能に配設されるとともに側面に送風のための羽根３ａが形成された略円筒状のファン部材３を有し、且つ、吸入口５ａ、５ｂが装置本体２の背面２ｂ及び側面２ｃで開口し、吐出口６が当該装置本体２の前面２ａ側で上下方向に延びて開口したので、高さ方向に十分幅広いエアカーテンを形成することができ、煙草の煙等の遮断効果を十分に発揮し得る。
【００３６】
また、ファン部材３とモータ４とを組み付けた送風ユニットＹを具備し、当該送風ユニットＹを装置本体２内において上下方向に複数並設させたので、高さ方向に十分幅広いエアカーテンを形成することができるとともに、装置本体２内のレイアウトの自由度を向上させることができる。即ち、送風ユニットＹを上下方向に複数並設させる構成とすることにより、吸入口５ａ、５ｂ及び吐出口６の形成位置や他の構成要素の配設関係に応じて送風ユニットＹを任意の位置で配設することができ、レイアウトの自由度を向上させ得るのである。
【００３７】
更に、装置本体２には、ファン部材３の駆動をオン・オフ操作するための又は当該ファン部材３の回転速度を任意に調整するための操作手段７が形成されたので、遊技者や遊技店の従業員等が必要に応じてファン部材３を駆動させ或いは当該ファン部材３の回転速度を使用状況に応じて調整することができる。尚、本実施形態に係る操作手段７は、押圧操作及び回転操作が可能な操作摘みで構成されているが、他の形態の操作手段（例えば、ファン部材３の駆動をオン・オフ操作するための操作手段と、当該ファン部材３の回転速度を任意に調整するための操作手段とを別個に配設したもの）としてもよい。
【００３８】
以上、本実施形態について説明したが、本発明はこれに限定されるものではなく、例えばロック機構１３、操作手段７、表示灯９及び静電霧化微粒子水発生装置１１等を具備しないもの（即ち、専らエアカーテンを形成する台間装置等）としてもよく、更には他の機能が付加されたもの（例えば、プリペイドカード投入口等が形成された台間装置等）としてもよい。
【００３９】
また、本実施形態においては、送風手段として所謂クロスフローファンと称されるファンが用いられているが、吐出口に向かって送風し得る他の形態のもの（例えばシロッコファン等）としてもよい。尚、ロック機構１３を具備しないものとした場合、装置本体２の前面２ａに形成されるべき吐出口６を上下方向に更に延ばすことができる。また、本実施形態においては、パチンコ遊技機Ｐが並設された島設備Ｓに適用されているが、スロットマシン等他の遊技機が並設された島設備に適用することができる。
【産業上の利用可能性】
【００４０】
送風手段と吐出口との間に配設され、当該送風手段からの送風を当該吐出口まで案内する案内部材を具備した島設備の台間装置であれば、外観形状が異なるもの或いは他の機能が付加されたもの等にも適用できる。
【符号の説明】
【００４１】
１  台間装置
２  装置本体
３  ファン部材（送風手段）
３ａ  羽根
４  モータ（送風手段）
５ａ、５ｂ  吸入口
６  吐出口
７  操作手段
８  可変抵抗器
９  表示灯
１０  噴出口
１１  静電霧化微粒子水発生装置
１２  案内部材
１３  ロック機構
１４  制御基板
１５  プッシュソレノイド
１６  活性炭フィルタ
１７  冷却手段
１７ａ  溝
Ｙ  送風ユニット
Ｓ  島設備
【図１】
2011036303.tif 000003
【図２】
2011036303.tif 000004
【図３】
2011036303.tif 000005
【図４】
2011036303.tif 000006
【図５】
2011036303.tif 000007
【図６】
2011036303.tif 000008